(57)【要約】【課題】  比較的簡素な本体構成および取付け形態に基づいて、引出し収納部の開閉に伴う衝撃に抗して姿勢の安定を保つことのできるまな板ホルダ。【解決手段】  引出し収納部（１５）に取り付けられてまな板（２１）を保持するまな板ホルダ。引出し収納部の一対の側板（１５ａ）の間で横方向に延びる横部材（１５ｅ）と着脱自在に係合する第１係合部（１ａ）と、横部材の手前側で横方向に延びる溝（１６ｂ）と着脱自在に係合する第２係合部（１ｂ）と、横部材および溝との係合状態において第１係合部と第２係合部との間隔を拡げようとする付勢力が作用するように構成されたホルダ本体（１ｃ）とを備えている。【選択図】  図４
2009005915.tif 000002
【特許請求の範囲】
【請求項１】
引出し収納部に取り付けられてまな板を保持するまな板ホルダにおいて、
前記引出し収納部の一対の側板の間で横方向に延びる横部材と着脱自在に係合する第１係合部と、
前記横部材の手前側で横方向に延びる溝と着脱自在に係合する第２係合部と、
前記横部材および前記溝との係合状態において前記第１係合部と前記第２係合部との間隔を拡げようとする付勢力が作用するように構成されたホルダ本体とを備えていることを特徴とするまな板ホルダ。
【請求項２】
前記ホルダ本体は、弾性的に変形可能な線材により形成されていることを特徴とする請求項１に記載のまな板ホルダ。
【請求項３】
前記第１係合部は、棒状の形態を有する前記横部材と着脱自在に係合するように線材により形成され、
前記第２係合部は、前記引出し収納部の前板に取り付けられた包丁差しの側板に設けられた前記溝と着脱自在に係合するように線材により形成されていることを特徴とする請求項１または２に記載のまな板ホルダ。
【発明の詳細な説明】
【技術分野】
【０００１】
本発明は、まな板ホルダに関し、さらに詳細には引出し収納部に取り付けられて例えば横向きに立てた状態でまな板を保持するまな板ホルダに関するものである。
【背景技術】
【０００２】
従来、例えばキッチンのシンクの下方に設けられた引出し収納部に、まな板を横向きに立てた状態で保持するまな板ホルダ（まな板立て）を取り付ける構成が知られている。
【発明の開示】
【発明が解決しようとする課題】
【０００３】
引出し収納部に取り付けられたまな板ホルダでは、引出し収納部の開閉（引出しおよび押戻し）に伴う衝撃が、まな板を保持しているまな板ホルダに伝わる。そのため、従来技術では、この衝撃に抗してまな板ホルダの姿勢の安定を保つために、ホルダ本体の構成およびまな板ホルダの取付け形態を複雑化するしかなかった。
【０００４】
本発明は、前述の課題に鑑みてなされたものであり、比較的簡素な本体構成および取付け形態に基づいて、引出し収納部の開閉に伴う衝撃に抗して姿勢の安定を保つことのできるまな板ホルダを提供することを目的とする。
【課題を解決するための手段】
【０００５】
前記課題を解決するために、本発明では、引出し収納部に取り付けられてまな板を保持するまな板ホルダにおいて、
前記引出し収納部の一対の側板の間で横方向に延びる横部材と着脱自在に係合する第１係合部と、
前記横部材の手前側で横方向に延びる溝と着脱自在に係合する第２係合部と、
前記横部材および前記溝との係合状態において前記第１係合部と前記第２係合部との間隔を拡げようとする付勢力が作用するように構成されたホルダ本体とを備えていることを特徴とするまな板ホルダを提供する。
【０００６】
本発明の好ましい態様によれば、前記ホルダ本体は、弾性的に変形可能な線材により形成されている。また、前記第１係合部は、棒状の形態を有する前記横部材と着脱自在に係合するように線材により形成され、前記第２係合部は、前記引出し収納部の前板に取り付けられた包丁差しの側板に設けられた前記溝と着脱自在に係合するように線材により形成されていることが好ましい。
【発明の効果】
【０００７】
本発明では、まな板ホルダの第１係合部が引出し収納部の一対の側板の間で横方向に延びる横部材と着脱自在に係合し、第２係合部が横部材の手前側で横方向に延びる溝と着脱自在に係合する。そして、ホルダ本体は、横部材および溝との係合状態において、第１係合部と第２係合部との間隔を拡げようとする付勢力が作用するように構成されている。このような付勢力が作用する構成は、例えば弾性的に変形可能な線材によりホルダ本体を形成することにより実現可能である。
【０００８】
この場合、まな板ホルダの引出し収納部への取付け状態において、第１係合部と第２係合部との間隔を拡げようとする付勢力がホルダ本体に常に作用しているので、引出し収納部の開閉（引出しおよび押戻し）に伴う衝撃がまな板ホルダに伝わっても、この衝撃に抗してまな板ホルダの姿勢の安定を保つことができる。すなわち、本発明のまな板ホルダでは、比較的簡素な本体構成および取付け形態に基づいて、引出し収納部の開閉に伴う衝撃に抗して姿勢の安定を保つことができる。
【０００９】
なお、本発明では、線材により形成された第１係合部を棒状の形態を有する横部材と着脱自在に係合させるとともに、線材により形成された第２係合部を引出し収納部の前板に取り付けられた包丁差しの側板に設けられた溝と着脱自在に係合させることが好ましい。この構成により、まな板ホルダの引出し収納部への取付け形態をさらに簡素化することができる。
【発明を実施するための最良の形態】
【００１０】
本発明の実施形態を、添付図面に基づいて説明する。図１は、本発明の実施形態にかかるまな板ホルダが取り付けられた引出し収納部を備えたキッチンの構成を概略的に示す斜視図である。本実施形態では、キッチンのシンクの下方に設けられた引出し収納部に取り付けられるまな板ホルダに対して本発明を適用している。図１に示すキッチンは、床Ｆの上に載置されたベースキャビネットＢＣを備えている。
【００１１】
ベースキャビネットＢＣの上部には、キッチンに向かって左側から加熱調理部（ＩＨコンロ、ガスコンロなど）１１と、一対のカウンター１２ａおよび１２ｂとが設けられ、この一対のカウンター１２ａと１２ｂとの間にシンク１３が設けられている。また、シンク１３に隣接して、たとえば湯水混合型の水栓１４が設けられている。本実施形態のまな板ホルダは、シンク１３の下方に設けられた引出し収納部１５に取り付けられている。
【００１２】
図２は、本実施形態のまな板ホルダの構成を概略的に示す斜視図である。図３は、本実施形態のまな板ホルダが引出し収納部に取り付けられている様子を概略的に示す斜視図である。図４の図３の線Ａ−Ａに沿った断面図である。図５は、図３に対応する図であって、まな板ホルダが横向きに立てた状態でまな板を保持している状態を示している。
【００１３】
図２〜図５を参照すると、引出し収納部１５の一対の側板１５ａの各々の上方には、２本の転び止めパイプ１５ｂが前板１５ｃと背板１５ｄとを連結するように間隔を隔てて設けられている。また、左上側の転び止めパイプ１５ｂと右上側の転び止めパイプ１５ｂとの間に、横方向に延びる棒状の横部材１５ｅが設けられている。換言すれば、横部材１５ｅは、引出し収納部１５の一対の側板１５ａの間で横方向に延びる棒状の部材である。
【００１４】
引出し収納部１５には、前板１５ｃの内側面に接するように、全体的に奥行き方向に薄いボックス状の包丁差し１６が取り付けられている。包丁差し１６は、図５に示すように、例えば包丁２０の刃の先端を下向きに差した状態で保持するタイプの包丁差しである。図４に明瞭に示すように、包丁差し１６の側板１６ａには、水平方向に延びる溝１６ｂが設けられている。
【００１５】
本実施形態のまな板ホルダ１は、図２に示すような外観形状を有し、例えば弾性的に変形可能な線材により形成されている。さらに詳細には、まな板ホルダ１は、棒状の形態を有する横部材１５ｅと着脱自在に係合する第１係合部１ａと、包丁差し１６の側板１６ａに設けられた溝１６ｂと着脱自在に係合する第２係合部１ｂと、第１係合部１ａおよび第２係合部１ｂ以外のホルダ本体１ｃとにより構成されている。
【００１６】
ホルダ本体１ｃの底部には、図４に示すような段差が形成されている。したがって、まな板ホルダ１の下段位置には、例えば最も薄いタイプのまな板２１が横向きに立てた状態で保持される。また、まな板ホルダ１の上段位置には、例えばサイズの異なる比較的厚い２種類のタイプのまな板２１が横向きに立てた状態で保持される。
【００１７】
本実施形態では、引出し収納部１５へのまな板ホルダ１の取付けに際して、ホルダ本体１ｃを弾性変形させて第１係合部１ａと第２係合部１ｂとの間隔を初期状態よりもある程度小さくしてから、第１係合部１ａを横部材１５ｅに係合させるとともに第２係合部１ｂを溝１６ｂに係合させる。その結果、横部材１５ｅおよび溝１６ｂとの係合状態において第１係合部１ａと第２係合部１ｂとの間隔を拡げようとする付勢力がホルダ本体１ｃ（ひいてはまな板ホルダ１）に作用することになる。
【００１８】
なお、引出し収納部１５へのまな板ホルダ１の取付け状態において、ホルダ本体１ｃの底部に取り付けられた円筒状の緩衝部材１ｃａが引出し収納部１５の底板１５ｆに接する。こうして、まな板ホルダ１は、横部材１５ｅ、溝１６ｂ、および底板１５ｆの３点において安定的に支持される。
【００１９】
以上のように、本実施形態では、まな板ホルダ１の引出し収納部１５への取付け状態において、第１係合部１ａと第２係合部１ｂとの間隔を拡げようとする付勢力がホルダ本体１ｃ（ひいてはまな板ホルダ１）に常に作用している。したがって、引出し収納部１５の開閉（引出しおよび押戻し）に伴う衝撃がまな板ホルダ１に伝わっても、この衝撃に抗してまな板ホルダ１の姿勢の安定を保つことができる。その結果、開閉に伴う衝撃に起因してまな板２１の姿勢がまな板ホルダ１内で一時的に変化することがあっても、まな板２１の姿勢は速やかに初期の安定した保持状態に戻る。
【００２０】
また、本実施形態では、線材により形成された第１係合部１ａを棒状の形態を有する横部材１５ｅと着脱自在に係合させるとともに、線材により形成された第２係合部１ｂを引出し収納部１５の前板１５ｃに取り付けられた包丁差し１６の側板１６ａに設けられた溝１６ｂと着脱自在に係合させる構成を採用しているので、まな板ホルダ１の引出し収納部１５への取付け形態が著しく簡素化されている。
【００２１】
なお、上述の実施形態では、まな板ホルダ１の第１係合部１ａが、棒状の形態を有する横部材１５ｅと係合する構成を例示している。しかしながら、これに限定されることなく、例えば仕切り板の形態を有する横部材と第１係合部とが係合するように構成することもでき、引出し収納部の一対の側板の間で横方向に延びて第１係合部と着脱自在に係合する横部材の形態などについては様々な変形例が可能である。
【００２２】
また、上述の実施形態では、まな板ホルダ１の第２係合部１ｂが、引出し収納部１５の前板１５ｃに接するように取り付けられた包丁差し１６の側板１６ａに設けられた溝１６ｂと係合する構成を例示している。しかしながら、これに限定されることなく、例えば引出し収納部の前板に設けられた溝と第２係合部とが係合するように構成することもでき、第１係合部と係合する横部材の手前側で横方向に延びて第２係合部と着脱自在に係合する溝が形成される部位などについては様々な変形例が可能である。
【００２３】
また、上述の実施形態では、キッチンのシンクの下方に設けられた引出し収納部に取り付けられるまな板ホルダに対して本発明を適用している。しかしながら、これに限定されることなく、キッチンの他の引出し収納部に取り付けられるまな板ホルダ、さらに一般的には引出し収納部に取り付けられてまな板を保持するまな板ホルダに対して同様に本発明を適用することができる。
【図面の簡単な説明】
【００２４】
【図１】本発明の実施形態にかかるまな板ホルダが取り付けられた引出し収納部を備えたキッチンの構成を概略的に示す斜視図である。
【図２】本実施形態のまな板ホルダの構成を概略的に示す斜視図である。
【図３】本実施形態のまな板ホルダが引出し収納部に取り付けられている様子を概略的に示す斜視図である。
【図４】図３の線Ａ−Ａに沿った断面図である。
【図５】図３に対応する図であって、まな板ホルダが横向きに立てた状態でまな板を保持している様子を示している。
【符号の説明】
【００２５】
１  まな板ホルダ（まな板立て）
１ａ  第１係合部
１ｂ  第２係合部
１ｃ  ホルダ本体
１１  加熱調理部
１３  シンク
１５  引出し収納部
１５ｅ  横部材
１６  包丁差し
１６ｂ  溝
２１  まな板
【図１】
2009005915.tif 000003
【図２】
2009005915.tif 000004
【図３】
2009005915.tif 000005
【図４】
2009005915.tif 000006
【図５】
2009005915.tif 000007